(57)【要約】      （修正有）【課題】大きな力を加えることなく、よりスムーズに容器を切断し解体することができる容器解体装置を提供する。【解決手段】容器解体装置１は、第一容壁に摺接する第一案内面と第二容壁に摺接する第二案内面とがほぼ谷線状に屈曲してなる案内部２と、案内部２により容器が案内される方向を案内進行方向とし、案内部２から案内進行方向へ延びる谷状の谷延長部３と、案内部２の谷線の延長線上に位置し、谷延長部３から第一案内面および第二案内面に対してほぼ等角に突出した刃部と、を備え、谷延長部３は、案内部２よりも凹んだ逃部となっている。【選択図】図１
0003141639.tif 000002
【実用新案登録請求の範囲】
【請求項１】
少なくとも第一容壁と第二容壁とがほぼ尾根状に屈曲してなる容器を切断して解体する容器解体装置であって、
前記第一容壁に摺接する第一案内面と前記第二容壁に摺接する第二案内面とがほぼ谷線状に屈曲してなる案内部と、
前記案内部により前記容器が案内される方向を案内進行方向とし、前記案内部から前記案内進行方向へ延びる谷延長部と、
前記案内部の谷線の延長線上に位置し、前記谷延長部から前記第一案内面および前記第二案内面に対してほぼ等角に突出した刃部と、
を備え、
前記谷延長部は、前記案内部よりも凹んだ逃部となっていることを特徴とする容器解体装置。
【請求項２】
前記谷延長部は、前記第一案内面よりも凹んだ第一逃面と前記第二案内面よりも凹んだ第二逃面とにより形成される請求項１に記載の容器解体装置。
【請求項３】
前記第一逃面および前記第二逃面は、少なくとも合計で前記刃部の厚み分だけ前記第一案内面および前記第二案内面に対して逃げている請求項２に記載の容器解体装置。
【請求項４】
前記谷延長部の谷底は、前記案内部の谷線よりも凹んだ深淵部となっている請求項１に記載の容器解体装置。
【請求項５】
前記刃部は、前記案内進行方向へ行くに従って後退する傾斜に沿った傾斜刃を有する請求項１に記載の容器解体装置。
【請求項６】
前記容器解体装置は、少なくとも前記刃部周辺を透視できる透明体を有する請求項１に記載の容器解体装置。
【請求項７】
前記容器解体装置は、少なくとも前記刃部を覆う開閉可能な蓋体をさらに備える請求項１に記載の容器解体装置。
【考案の詳細な説明】
【技術分野】
【０００１】
本考案は、牛乳パック等の容器を切断して解体する容器解体装置に関するものである。
【背景技術】
【０００２】
牛乳やジュースなどの容器として用いられている方形筒状の紙パック（牛乳パック等）を、資源のリサイクル等の目的で切断し解体する場合、その道具としてハサミやカッター等が使用されていた。
【０００３】
しかし、上記道具では、蛇行しないで容器の角部を切断するのは困難であった。そこで、例えば、実開平７−９２６７号公報（特許文献１）に記載された紙パック容器切断具では、略Ｌ字型の基板に刃が設けられており、紙パックと基板とを密着させることで、蛇行せず紙パック角部を切断することができる。
【特許文献１】実開平７−９２６７号公報
【考案の開示】
【考案が解決しようとする課題】
【０００４】
しかしながら、上記紙パック容器切断具では、容器が刃を通過する際、常に容器が刃によって基板に押し付けられる。刃によって容器の進路が狭くなる分、容器を通過させる（切断する）際に大きな力が必要となる。つまり、切断時に通過抵抗が大きくなっている。
【０００５】
容器を切断するにあたり、大きな力が必要となると、力を加えた切断具の勢いにより、切断具の停止位置が制御し難くなってしまう。また、たくさんの容器を切断する場合、切断毎に大きな力が必要となり、使用者に大きな負担がかかってしまう。
【０００６】
本考案は、このような事情に鑑みてなされたものであり、大きな力を加えることなく、よりスムーズに容器を切断し解体することができる容器解体装置を提供することを目的とする。
【課題を解決するための手段】
【０００７】
本考案の容器解体装置は、少なくとも第一容壁と第二容壁とがほぼ尾根状に屈曲してなる容器を切断して解体する容器解体装置であって、第一容壁に摺接する第一案内面と第二容壁に摺接する第二案内面とがほぼ谷線状に屈曲してなる案内部と、案内部により容器が案内される方向を案内進行方向とし、案内部から案内進行方向へ延びる谷延長部と、案内部の谷線の延長線上に位置し、谷延長部から第一案内面および第二案内面に対してほぼ等角に突出した刃部と、を備え、谷延長部は、案内部よりも凹んだ逃部となっていることを特徴とする。
【０００８】
上記構成によれば、容器は案内部に摺接しながら谷延長部まで案内される。そして、容器が谷延長部に進入すると、谷延長部に設けられた刃部によって容器が切断される。本構成は、案内部から案内進行方向に延びる谷延長部が逃部となっており、当該逃部に刃部が設けられている。換言すれば、本構成は、少なくとも刃部周辺が逃部となっている。
【０００９】
従って、本構成によれば、容器が刃部を通過する際（切断時）、逃部がある分、刃部周辺における容器の通路が大きくなる。つまり、刃部通過時に開こうとする容器を逃部が許容し（逃がし）、容器が刃部を通過し易くなる。さらに、案内部が容器の蛇行（位置ずれ）を防止するため、容器を安定して確実に刃部へ案内することができる。
【００１０】
本構成によれば、案内部により蛇行が防がれ、且つ、逃部により切断時の通過抵抗が低減される。従って、容器の切断に大きな力は必要なく、よりスムーズに容器を切断することができる。
【００１１】
ここで、谷延長部は、第一案内面よりも凹んだ第一逃面と第二案内面よりも凹んだ第二逃面とにより形成されることが好ましい。これにより、逃部となる谷延長部は、容器が刃部を通過する際、刃部に切断された容器を、第一容壁と第二容壁とが共に開く方向に逃がすことができる。従って、さらにスムーズに容器を切断することができる。
【００１２】
ここで、第一逃面および第二逃面は、少なくとも合計で刃部の厚み分だけ第一案内面および第二案内面に対して逃げていることが好ましい。例えば、逃部がない場合、容器が刃部を通過する際、刃部の厚み分だけ容器が両案内面側に押し付けられる。従って、その分、容器が刃部を通過しにくくなり（通過抵抗が大きくなり）、強い力が必要となる。
【００１３】
しかし、上記構成とすることにより、刃部により両面側に押し出される刃部の厚み分の容器を逃がすことができる。つまり、容器が刃部を通過する際、切断された容器（第一容壁および第二容壁）が刃部により第一逃面部および第二逃面部に押し付けられることを防止できる。これにより、通過抵抗が低減し、容器は、刃部により両面に押し付けられることなくスムーズに刃部を通過することができる。
【００１４】
ここで、本考案の容器解体装置において、谷延長部の谷底は、前記案内部の谷線よりも凹んだ深淵部となっている。これにより、刃部の根元における容器の通過抵抗を確実に低下させることができる。
【００１５】
ここで、刃部は、案内進行方向へ行くに従って後退する傾斜に沿った傾斜刃を有することが好ましい。これにより、容器に対して、刃を斜めに入れることができ、力を強く加えずとも容器を切断できる。
【００１６】
ここで、本考案の容器解体装置は、少なくとも前記刃部周辺を透視できる透明体を有することが好ましい。これにより、作業者は、容器の切断状況を確認しながら、容器の切断作業を行うことができる。また、刃部が装置中のどこにあるかが一目で分かるため、より安全となる。
【００１７】
また、本考案の容器解体装置は、少なくとも前記刃部を覆う開閉可能な蓋体をさらに備えることが好ましい。これにより、使用時以外は、蓋体により刃部を覆うことができるため、さらに安全となる。
【考案の効果】
【００１８】
本考案の容器解体装置によれば、大きな力を加えることなく、よりスムーズに容器を切断し解体することができる。
【考案を実施するための最良の形態】
【００１９】
次に、実施形態を挙げ、本考案をより詳しく説明する。
【００２０】
本実施形態の容器解体装置１について図１〜図１０を参照して説明する。図１は、容器解体装置１を示す斜視図である。図２は、容器解体装置１の使用状態を示す図である。図３は、容器解体装置１の平面図である。図４は、容器解体装置１の正面図である。図５は、容器解体装置１の背面図である。図６は、容器解体装置１の図３におけるＡ−Ａ線断面図である。図７は、容器解体装置１の図３におけるＢ−Ｂ線断面図である。図８は、容器解体装置１の図３におけるＣ−Ｃ線断面図である。図９は、容器解体装置１の図３におけるＤ−Ｄ線断面図である。図１０は、容器解体装置１の図３におけるＥ−Ｅ線断面図である。
【００２１】
容器解体装置１は、一体成形品であり、アクリルなどの樹脂製の本体１０と、鋼製の刃部１３とを備えている。そして、本体１０は、第一本体部１１と、第二本体部１２とからなっている。第一本体部１１は、全体として略直方体形状であり、上面には、長手方向に延びる案内部２を有している。案内部２は、第一案内面２１と第二案内面２２とがほぼ谷線状に直角に屈曲してなっている。
【００２２】
ここで、図２に示すように、紙パック９は、第一容壁９１と第二容壁９２とを有し、紙パック９の一角は両容壁９１、９２が尾根状に直角に屈曲してなっている。つまり、容器解体装置１を使用する際、第一容壁９１は第一案内面２１に摺接し、第二容壁９２は第二案内面２２に摺接する。なお、第一案内面２１と第二案内面２２のなす角度は、直角に限らず、切断対象容器の第一容壁と第一容壁のなす角度に対応した角度であればよい。また、摺接抵抗を低減させる観点から、切断対象容器の第一容壁と第一容壁のなす角度より僅かに大きく（１〜２度）大きくしてもよい。
【００２３】
案内部２は、長手方向の一方側の端部から長手方向の他方側の端部に向けて、紙パック９を案内する。このように案内部２により紙パック９が案内される方向（紙パック９が進む方向）を案内進行方向とする。また、案内進行方向の反対方向を案内入口方向と称する。
【００２４】
第二本体部１２は、第一本体部１１の案内進行方向側に、第一本体部１１と一体的に設けられている。第二本体部１２の上面には、案内部２から案内進行方向へ連続的に延びる谷状（凹状）の谷延長部３を有している。
【００２５】
谷延長部３は、第一逃面３１と第二逃面３２とからなっている。第一逃面３１は、第一案内面２１に連設されており、第一案内面２１よりも凹んでいる。第二逃面３２は、第二案内面２２に連設されており、第二案内面２２よりも凹んでいる。詳細には、本体１０の上面を一辺とし、案内部２の断面で囲まれた形状（直角二等辺三角形）の面積よりも、谷延長部３の断面で囲まれた形状（略半楕円形状）の面積の方が大きくなっている（図４、図８および図９参照）。さらに、谷延長部３の上記面積は、案内進行方向へ行くに従って徐々に大きくなっている。
【００２６】
ここで、第一逃面３１および第二逃面３２は、少なくとも合計で刃部１３の厚み分だけ第一案内面２１および第二案内面２２に対して逃げている。つまり、刃部１３が配置される谷延長部３の各深さ（上面を除く）における左右幅が、案内部２の左右幅に対して、刃部１３の厚み以上に拡がっている。ただし、上面における案内部２および谷延長部３の左右幅も、案内進行方向へ行くに従って拡がっていてもよい。
【００２７】
さらに、谷延長部３の谷底は、案内部２の谷線２ａ（直角二等辺三角形の直角の頂点）よりも深く凹んでいる。詳細には、谷延長部３の谷底は、案内進行方向へ向かうにつれて徐々に第二本体部１２の底面側に凹んでいる。つまり、谷延長部３は、案内部２よりも外面側（第二本体部１２の側面および底面側）に凹んだ逃部となっており、その谷底は谷線２ａよりも深く（底面側に）凹んだ深淵部となっている。逃部は、第一逃面３１と第二逃面３２とで形成されている。
【００２８】
刃部１３は、案内部２の谷線２ａの延長線上であって案内部２から僅かに谷延長部３へ進入した位置に配置されている。刃部１３は、当該位置において、谷延長部３から第一案内面２１および第二案内面２２に対してほぼ等角（４５度）に突出している。刃部１３は、露出部分が略三角形であり、その案内入口方向側が刃１３ａとなっている。刃部１３の案内入口方向側は、案内進行方向へ行くに従って後退する傾斜（略三角形の辺）となっている。そして、刃１３ａは、案内進行方向へ行くに従って後退する傾斜に沿った傾斜刃となっている。つまり、刃部１３は、傾斜刃１３ａを有している。図６に示すように、傾斜刃１３ａは、谷線２ａに対しておよそ１３５度（９０度より大きく１８０度より小さい）傾斜している。
【００２９】
刃部１３は、一部が第二本体部１２に埋まっており（インサート）、露出部分の頂点が第二本体部１２の上面よりも底面側に位置している。つまり、刃部１３は、第二本体部１２の上面を越えて突出しておらず、谷延長部３に収まっている。
【００３０】
容器解体装置１を使用するときには、紙パック９（容器）の２つの面が直角に接している線上の切断を始めたい位置に刃１３ａをあて、力を加えれば、切断対象に対して垂直に切り込むことができる。そして、その後、案内入口方向に向けて手を滑らせていくことで、紙パック９が案内進行方向に進み、容易に紙パック９（容器）を切断できる。
【００３１】
ここで、容器切断装置１によれば、刃部１３周辺に逃部が形成されている（刃部１３が谷延長部３に配置されている）ため、強い力を加えなくとも、スムーズに紙パック９を切断できる。また、案内部２により、蛇行することなく、案内進行方向に沿って（紙パック９の線上に沿って）安定して切断することができる。
【００３２】
なお、容器解体装置１の底面図を図１１、右側面図を図１２に示す。左側面図は図１２と同様である。
【００３３】
また、本考案において、案内部２より凹んだ逃部が、少なくとも刃部３周辺にあればよい。つまり、逃部は、少なくとも刃部３の案内入口方向側の端部位置から案内進行方向側の端部位置まで形成されていればよい。これによっても、刃部３周辺の通過抵抗は低減する。ただし、本実施形態では、逃部が、刃部３の案内入口方向側端部より少し案内入口方向側から第二本体部１２（本体１０）の案内進行方向側端部まで形成されている。このため、さらにスムーズな容器切断が可能となっている。
【００３４】
また、容器切断装置１を使用していないとき、刃１３ａに指等が触れるのを防ぐため、図１３に示すような蓋体８を設けてもよい。蓋体８は、本体１０の上面に被せられる。
【００３５】
また、第二本体部１２の少なくとも刃部１３周辺を、刃部１３周辺を透視できる透明体としてもよい。本体１０、または、第二本体部１２のみを透明の（透光性のある）樹脂等で形成してもよい。これにより、作業者は、容器の切断状況を確認しながら、容器の切断作業を行うことができる。また、刃部１３が装置中のどこにあるかが一目で分かるため、より安全となる。本体１０を透明体とした場合、例えば図１４および図１５に示すようになる。なお、図１４および図１５では、本体１０の外周デザインが一部変更されている（図１より角ばっている）。案内部２および谷延長部３については同様の形状となっている。
【００３６】
また、本体１０は、木製であってもよい。また、使用時以外でも視覚的に刃部１３の位置確認を容易にできるよう、蓋体８を透明体としてもよい（図１６参照）。また、谷延長部３（逃部）の形状は、テーパ状であってもよい。また、本構成とする上で、刃部３の厚みを小さくすることで、さらに通過抵抗を低減できる。また、容器解体装置１（または蓋体８）の案内進行方向側の両側面にワンポイント（印）を付すことで、刃部の位置が容易に確認できる。
【図面の簡単な説明】
【００３７】
【図１】容器解体装置１を示す斜視図である。
【図２】容器解体装置１の使用状態を示す図である。
【図３】容器解体装置１の平面図である。
【図４】容器解体装置１の正面図である。
【図５】容器解体装置１の背面図である。
【図６】容器解体装置１の図３におけるＡ−Ａ線断面図である。
【図７】容器解体装置１の図３におけるＢ−Ｂ線断面図である。
【図８】容器解体装置１の図３におけるＣ−Ｃ線断面図である。
【図９】容器解体装置１の図３におけるＤ−Ｄ線断面図である。
【図１０】容器解体装置１の図３におけるＥ−Ｅ線断面図である。
【図１１】容器解体装置１の底面図である。
【図１２】容器解体装置１の右側面図である。
【図１３】蓋体８を被せた容器解体装置１を示す図である。
【図１４】本体１０が透明体である容器解体装置１を示す図である。
【図１５】図１４の容器解体装置１の右側面図である。
【図１６】蓋体８が透明体である容器解体装置１を示す図である。
【符号の説明】
【００３８】
１：容器解体装置、１０：本体、１１：第一本体部、１２：第二本体部、
１３：刃部、１３ａ：刃（傾斜刃）、
２：案内部、２１：第一案内面、２２：第二案内面、２ａ：谷線、
３：谷延長部、３１：第一逃面、３２：第二逃面、
８：蓋体、
９：紙パック、９１：第一容壁、９２：第二容壁
【図１】
0003141639.tif 000003
【図２】
0003141639.tif 000004
【図３】
0003141639.tif 000005
【図４】
0003141639.tif 000006
【図５】
0003141639.tif 000007
【図６】
0003141639.tif 000008
【図７】
0003141639.tif 000009
【図８】
0003141639.tif 000010
【図９】
0003141639.tif 000011
【図１０】
0003141639.tif 000012
【図１１】
0003141639.tif 000013
【図１２】
0003141639.tif 000014
【図１３】
0003141639.tif 000015
【図１４】
0003141639.tif 000016
【図１５】
0003141639.tif 000017
【図１６】
0003141639.tif 000018